(57)【特許請求の範囲】
【請求項１】
ハンドルの根元部に連結される連結部を備えた挿着片を前記根元部から横方向に延出させて払拭体の袋部に挿着した清掃具であって、前記連結部に、前記挿着状態において前記挿着片の挿着方向の軸回りに前記挿着片を自転自在にする自転機構と、前記挿着片の回動端を軸支し、前記回動端を係着して前記挿着状態を保持し、前記係着を解除したとき、前記挿着片の開放端を前記ハンドルの軸方向側に回動自在にする回動機構とを設け、前記自転機構は、前記根元部に連結された回動軸受と、前記回動軸受に枢支された軸体とからなり、前記軸体に前記挿着片の回動端を軸支し、前記回動軸受は、前記根元部に連結する連結部材と、前記連結部材と反対側に軸方向に設けた切り欠き溝とを備えた中空体からなり、前記中空体内に前記軸体を嵌入して前記自転機構を構成し、前記挿着片の開放端を前記ハンドルの軸方向側に回動するときに前記回動端の上部を前記切り欠き溝より逃がすことを特徴とする清掃具。
【請求項２】
前記回動端に設けた係合部と係合する係止部を前記軸体に設け、前記係合部を前記係止部に係着して前記挿着状態を保持する請求項１に記載の清掃具。
【請求項３】
前記挿着片は一対の差込片からなり、夫々の差込片の回動端を前記軸体に左右対称状に軸支した請求項１又は２に記載の清掃具。
【請求項４】
前記挿着片は、棒状、舌片状、中空板状のいずれかの差込片からなる請求項１〜３のいずれかに記載の清掃具。
【請求項５】
前記袋部の全周囲に払拭材を多数設けた請求項１〜４のいずれかに記載の清掃具。
【請求項６】
前記払拭材がパイルからなる請求項１〜５のいずれかに記載の清掃具。
【発明の詳細な説明】
【技術分野】
【０００１】
本発明は、床面や壁面を清掃するための払拭体をハンドル先端部に挿脱自在にした清掃具に関し、特には、ハンドル先端部を回動自在にした回動式掃除具に関する。
【背景技術】
【０００２】
従来から、この種の清掃具としてハンディタイプや箒状の長柄ハンドル型のものが広く利用されている。例えば、特許文献１には長柄ハンドル型の清掃具が開示されている。
図１２は長柄ハンドル型の清掃具を示す。図１２の（１２Ａ）及び（１２Ｂ）は夫々、パイル製払拭体４０、同図（１２Ｂ）はパイル製払拭体４０を固定し保持する長柄保持具４１を示す。
【０００３】
払拭体４０は、楕円状の基布４２と、基布４２の下面に植設された多数のパイル４４からなる。基布４２は綿繊維や合成繊維を網目状に織成して構成され、基布４２の上面には同繊維種からなる袋状差込部４３、４３が設けられている。
【０００４】
長柄保持具４１は、基布４２に装着される装着部４５と、手動操作するためのパイプ状の柄４７とからなり、柄４７の先端側にはグリップ４８が設けられている。柄４７の先端はジョイント部４６を介して装着部４５に枢支されている。装着部４５は略楕円状の長円板からなり、両端部を袋状差込部４３、４３に挿入することにより、払拭体４０が長柄保持具４１に装着され、長柄ハンドル型の清掃具を構成する。
【先行技術文献】
【特許文献】
【０００５】
【特許文献１】特開２００５−２７０６３０号公報
【発明の概要】
【発明が解決しようとする課題】
【０００６】
上記の従来の掃除具においては、払拭体４０の取替えや洗浄時の作業を簡便にするために払拭体４０をハンドル先端の装着部４５により挿脱自在にしている。  しかしながら、装着部４５はジョイント部４６を突設した長円板からなるため、柄４７を持っただけで袋状差込部４３、４３に挿入したり、脱離したりするのが難しく、装着部４５を直接手で掴みながら袋状差込部４３、４３に挿入、脱離する必要があった。従って、この挿脱の際には、汚れた払拭体４０が手や体に触れたりして挿脱作業が面倒になるといった問題があった。
【０００７】
また、払拭体４０を装着部４５に装着した状態では、大半のパイル４４は装着部４５の裏側に位置する。しかも、ジョイント部４６を介して柄４７の先端は装着部４５に対して固定、保持され、装着部４５の長軸の回りに動かせる自由度を持たないため、柄４７を装着部４５の長手方向に傾けたりすることはできるものの、装着部４５の長軸の回りに回動することができなかった。このため、清掃作業者は、パイル４４の払拭面が床面等に当たるように、常時、柄４７を動かす力に気を配って清掃作業を行う必要があり、円滑な清掃作業を妨げていた。
【０００８】
本発明は、上記問題に鑑みてなされたものであって、ハンドルを払拭体の中心軸回りに回動自在にして種々の清掃姿勢でも疲れることなく簡易に清掃作業を行え、且つワンタッチで払拭体に対して装着部を挿脱することができる清掃具を提供することを目的としている。
【課題を解決するための手段】
【０００９】
本発明は、上記課題を解決するために提案されたものであって、本発明の第１の形態は、ハンドルの根元部に連結される連結部を備えた挿着片を前記根元部から横方向に延出させて払拭体の袋部に挿着した清掃具であって、前記連結部に、前記挿着状態において前記挿着片の挿着方向の軸回りに前記挿着片を自転自在にする自転機構と、前記挿着片の回動端を軸支し、前記回動端を係着して前記挿着状態を保持し、前記係着を解除したとき、前記挿着片の開放端を前記ハンドルの軸方向側に回動自在にする回動機構とを設けた清掃具である。
【００１０】
本発明の第２の形態は、第１の形態において、前記自転機構は、前記根元部に連結された回動軸受と、前記回動軸受に枢支された軸体とからなり、前記軸体に前記挿着片の回動端を軸支した清掃具である。
【００１１】
本発明の第３の形態は、第２の形態において、前記回動軸受は、前記根元部に連結する連結部材と、前記連結部材と反対側に軸方向に設けた切り欠き溝とを備えた中空体からなり、前記中空体内に前記軸体を嵌入して前記自転機構を構成し、前記挿着片の開放端を前記ハンドルの軸方向側に回動するときに前記開放端の一部を前記切り欠き溝より逃がす清掃具である。
【００１２】
本発明の第４の形態は、第２又は第３の形態において、前記挿着片の回動端を前記軸体の端部で軸支し、前記回動端に設けた係合部と係合する係止部を前記軸体に設け、前記係合部を前記係止部に係着して前記挿着状態を保持する清掃具である。
【００１３】
本発明の第５の形態は、第２、第３又は第４の形態において、前記挿着片は一対の差込片からなり、夫々の差込片の回動端を前記軸体に左右対称状に軸支した清掃具である。
【００１４】
本発明の第６の形態は、第１〜第５のいずれかの形態において、前記挿着片は、棒状、細長舌片状、細長枠状のいずれかの差込片からなる清掃具である。
【００１５】
本発明の第７の形態は、第１〜第６のいずれかの形態において、前記袋部の全周囲に払拭材を多数設けた清掃具である。
【００１６】
本発明の第８の形態は、第１〜第６のいずれかの形態において、前記払拭材がパイルからなる清掃具である。
【発明の効果】
【００１７】
本発明の第１の形態によれば、前記連結部に設けた前記自転機構により、前記挿着状態において前記挿着片の挿着方向の軸回りに前記挿着片を自転自在にしたので、前記払拭体の中心軸回りに回動自在にして種々の清掃姿勢でも疲れることなく簡易に清掃作業を行うことができる。
また、前記連結部に設けた前記回動機構により、前記挿着片の回動端を軸支し、前記回動端を係着して前記挿着状態を保持し、前記係着を解除したとき、前記挿着片の開放端を前記ハンドルの軸方向側に回動自在にしたので、前記袋部にワンタッチで前記装着片を挿脱することができる。即ち、前記係着を解除し、前記挿着片の開放端を前記ハンドルの軸方向側に移動させた状態で、前記開放端を前記払拭体に当接させて前記袋部側に回動させることにより、前記袋部に前記開放端を挿入させることができるので、前記ハンドルを掴んで前記当接のための力をハンドル先端側に加えるだけで簡便に挿着作業を行うことができる。挿着状態は前記回動端の係着により保持することができ、脱離時には、前記係着を解除して前記挿着片の開放端を前記ハンドルの軸方向側に移動させることにより、前記挿着片から前記払拭体を簡単に脱離させることができる。
【００１８】
本発明の第２の形態によれば、前記根元部に連結された前記回動軸受に前記軸体を枢支することにより前記自転機構を構成し、前記軸体に前記挿着片の回動端を軸支するので、前記回動軸受と前記軸体による簡単な前記自転機構の構成によって前記軸体の中心軸回りに前記ハンドルを回動自在にし、且つ前記軸支により前記挿着片を前記軸体に対して前記挿着状態と前記ハンドルの軸方向側への脱離状態間で回動自在にした清掃具を提供することができる。
【００１９】
本発明の第３の形態によれば、前記中空体内に前記軸体を嵌入して前記自転機構を構成し、前記挿着片の開放端を前記ハンドルの軸方向側に回動するときに前記開放端の一部を前記切り欠き溝より逃がすので、前記挿着片の面方向が前記切り欠き溝に合致する位置でのみ前記挿着片の回動が可能になり、合致しない位置では前記挿着状態を保持して、前記払拭体が簡単に脱離せず安定して清掃作業を行うことができる。
【００２０】
本発明の第５の形態によれば、前記挿着片の回動端を前記軸体の端部で軸支し、前記回動端に設けた係合部と係合する係止部を前記軸体に設け、前記係合部を前記係止部に係着して前記挿着状態を保持するので、前記払拭体が簡単に脱離せず安定して清掃作業を行うことができる。
【００２１】
本発明は、ハンドルの根元部に対して挿着片が略Ｔ字形又は略Ｌ字形に連結される略Ｔ字形又は略Ｌ字形の掃除具に適用することができる。例えば、単一の挿着片を自転・回動自在にして略Ｌ字形の掃除具を得ることができる。また、本発明の第４の形態によれば、前記挿着片は一対の差込片からなり、夫々の差込片の回動端を前記軸体に左右対称状に軸支したので、前記自転機構により、前記挿着状態において夫々の差込片を自転自在にし、各差込片の開放端を前記ハンドルの軸方向側に回動自在にして、種々の清掃姿勢でも疲れることなく簡易に清掃作業を行え、且つ前記袋部にワンタッチで両差込片を挿脱することができる略Ｔ字形掃除具を実現することができる。
【００２２】
本発明の第６の形態によれば、前記挿着片は、棒状、細長舌片状、細長枠状のいずれかの差込片からなるので、払拭材を円筒状に植設した払拭体を挿着して、払拭体の中心軸回りに自由に動かして、清掃方向に制約されずに円滑に清掃作業を行うことができる。
【００２３】
本発明の第７の形態によれば、前記袋部の全周囲に払拭材を多数設けた払拭体を挿着して、払拭体の中心軸回り約３６０°に自由に動かして、清掃方向に制約されずに円滑に清掃作業を行える清掃具を実現することができる。
本発明の払拭体には、例えば、織布又は不織布の基布に、縫製加工や溶着加工等により中心軸回りに全周にわたり払拭材を植設した払拭体を使用することができる。本発明における払拭材には、ナイロン、綿、ポリエステル等の素材を使用することができる。
【００２４】
本発明の第８の形態によれば、パイルの払拭材を使用して、床面や壁面等を隅々まで疲労せずに清掃することができる清掃具を提供することができる。
【図面の簡単な説明】
【００２５】
【図１】本発明に係る清掃具の外観斜視図である。
【図２】前記清掃具の払拭体１の縦断面構造図である。
【図３】前記清掃具における根元部５及び挿着片４の外観斜視図である。
【図４】根元部５及び挿着片４の平面図である。
【図５】回動軸受１０及び挿着片４の上面図である。
【図６】回動軸受１０及び挿着片４の底面図である。
【図７】前記清掃具における連結部の平面断面図である。
【図８】根元部５及び挿着片４の側面図である。
【図９】軸体２１の外観斜視図である。
【図１０】挿着片４の回動動作を説明するための部分断面図である。
【図１１】払拭体１の概略側面図及び上面図である。
【図１２】従来の清掃具を示す図である。
【発明を実施するための形態】
【００２６】
以下、本発明に係る清掃具の実施の形態を図面を参照して詳細に説明する。
図１は本実施形態に係る長柄ハンドル型清掃具の全体を示す。
この清掃具は払拭体１と清掃作業時に把持する長柄ハンドル２からなる。長柄ハンドル２は長尺状の樹脂製パイプ部材からなり、その根元部５には、Ｔ字形状に横方向に延出して払拭体１の袋部に挿着された挿着片４がジョイント部材９により連結されている。長柄ハンドル２の開放端にはグリップ３２が設けられている。
【００２７】
図２は払拭体１の縦断面構造を模式的に示す。払拭体１は、片面側に多数のパイル（払拭材）群３が植設された一組の長手形状の基布１１、１２からなる。払拭体１の中央には開口部６が形成され、内部には袋状の袋部８が形成されている。袋部８は、基布１１、１２の基布面のうちパイル群３が植設されていない面を対面させて重ね合わせ、基布の周縁部を、その一部を開口して縫着して形成されている。図２の縦断面においては、開口部６の下端側の周縁部１９を横糸３０で縫着した状態が示されている。袋部８は開口部６から挿着片４を挿着可能にしたＴ字形状を有し、袋部８の全外周にわたりパイル７が植設されている。基布の素材には、パイル群を保持する強度を必要とし、厚手のキャンバス布、木綿や合成化学繊維の帆布等の布材等を使用するのが好ましい。本実施形態では、パイル材及び基布材として無色のナイロン素材を使用している。
【００２８】
図１１は払拭体１の概略側面及び上面を示す。
各基布１１、１２の長手方向の一辺側中央部２０の一部が切り欠いて切除されており、図１１の（１１Ａ）に示すように、切除端は縁縫い２２が施されて布端が解れないようにしている。袋部８の形成により、中央部２０は挿着片４の導入口、つまり開口部６となる。
同図（１１Ｂ）は（１１Ａ）のＡ−Ａ断面を模式的に示す。同図（１１Ｂ）に示すように、各基布の端部２５、２６と２７、２８は、縫糸２９により結着されて、裏返されて袋部８の内側に取り込まれている。袋部８の開口部６に隣接した各基布の周縁部１８は横糸３１で縫着され、開口部６と対向した各基布の周縁部１９は横糸３０で縫着されている。従って、袋部８には開口部６のみが開口され、その全外周にわたりパイル７が植設された状態になっている。なお、図１１の（１１Ｂ）においてはパイル群３の一断面を模式的に示し、パイル間に隙間があるようにみえるが、各パイルが大きな間隙もなく密集状に植設され、互いに絡み合っている。
【００２９】
本実施形態においては、挿着片４は一対の差込片１５、１６からなり、夫々の差込片１５、１６の回動端１５Ｃ、１６Ｃを軸体２１に左右対称状に軸支されていて、挿着状態で同一直線上に対向配置される。
図３はハンドル２の根元部５及び挿着片４の外観斜視図である。図４は根元部５及び挿着片４の平面図である。図５は回動軸受１０及び挿着片４の上面図である。図６は回動軸受１０及び挿着片４の底面図である。
ジョイント部材９における連結部には、挿着状態において挿着片４の挿着方向の軸回りに挿着片４を自転自在にする自転機構と、挿着片４の各回動端１５ｃ、１６ｃを軸支し、回動端１５ｃ、１６ｃを係着して挿着状態を保持し、係着を解除したとき、挿着片４の開放端をハンドル２の軸方向側に回動自在にする回動機構が設けられている。挿着片４、自転機構及び回動機構の各部材は、ポリカーボネートやＡＢＳ樹脂などの合成樹脂で成形加工品で形成されている。
【００３０】
差込片１５、１６は細長枠形状を有し、中空部の中間に緩衝リング部材１５ａ、１６ａが一体成形されている。袋部８に差込片１５、１６に挿入したとき、袋部８に接触したとき押圧変形して、抜け落ちないように、緩衝リング部材１５ａ、１６ａによる反発力が袋内面に作用する。差込片には、棒状や細長舌片状のものを使用してもよい。
【００３１】
図７はジョイント部材９における連結部の平面断面図である。図８は根元部５及び挿着片４の側面図である。図９は軸体２１の外観斜視図である。
自転機構は、根元部５に連結された回動軸受１０と、回動軸受１０に枢支された軸体２１からなり、軸体２１に回動端１５Ｃ、１６Ｃが軸支されている。
【００３２】
回動軸受１０は、根元部５に連結する連結部材１３が一側面に取着され、連結部材１３と反対側に軸方向に設けた一対の切り欠き溝１０ａとを備えた中空体からなる。連結部材１３の上部はハンドル２の根元部５を軸１４により軸支する軸受構造を有する。この軸支により、挿着状態において軸１４の回りにハンドル２を回動可能にして、清掃時にハンドル２を差込片１５、１６の軸方向前後に傾倒可能にしている。
【００３３】
図９に示すように、軸体２１は円筒状の本体２１ａからなり、本体２１ａの両端には軸方向に溝２１ｃが切り欠き形成されている。本体２１ａの外側面には回動軸受１０の中空体が外嵌されて軸体２１と回動軸受１０が回動可能に連結される。回動軸受１０の中空体には一対の切り欠き溝１０ａの間に分離スリット１０ｂが形成されていて、分離スリット１０ｂを拡げることにより、本体２１ａの外側面に回動軸受１０の中空体を外嵌することができる。各溝２１ｃの上下面には軸受用の突起２１ｄが突設されている。差込片１５、１６の回動端１５ｂ、１６ｂ表裏には、回動軸用の孔１５ｃ、１６ｃが刻設されている。回動端１５ｂ、１６ｂを溝２１ｃに挿入し、突起１５ｃ，１６ｃを孔２１ｄに嵌着して、差込片１５、１６を軸支している。
【００３４】
軸体２１内部には、断面コ字形の係止部材１７、１７が嵌着されている。各係止部材１７は溝２１ｃの外側に向いた突起１７ａを有する。差込片１５、１６の回動端１５ｂ、１６ｂ先端には、係合用の二股状突起１５ｄ、１６ｄが突設されている。回動端１５ｂ、１６ｂを溝２１ｃに挿入し、孔１５ｃ、１６ｃを突起２１ｄに嵌着して軸支した状態において、差込片１５、１６を一直線状にしたとき、各突起１７ａは二股状突起１５ｄ、１６ｄに嵌って、差込片１５、１６を軸体２１に係着することができる。この係着により、払拭体１への挿着状態をＴ字形に保持することが可能になる。係着状態から、各差込片を約９０°ハンドル２の軸方向側に突起１５ｃ，１６ｃを回転中心にして、連結部材１３より下向きに回動すると、各突起１７ａと突起１５ｄ、１６ｄとの係合が解除されて、各差込片がハンドル２より下方に並置される解除状態にすることができる。
【００３５】
回動軸受１０の一対の切り欠き溝１０ａは、各挿着片１５、１６の開放端をハンドル２の軸方向側に回動するときに回動端１５ｂ、１６ｂの上部を切り欠き溝１０ａより逃がして、円滑に解除状態に移行させる。従って、差込片１５、１６の面方向が切り欠き溝１０ａに合致する位置でのみ挿着片１５、１６の回動が可能になり、合致しない位置では挿着状態を保持して、払拭体１が簡単に脱離せず安定して清掃作業を行うことができる。
【００３６】
図１０は挿着片４の回動動作を説明するための部分断面図である。
上記構成により、ジョイント部材９における連結部には、挿着片４を自転自在にする自転機構と、挿着片４の開放端をハンドル２の軸方向側に回動自在にする回動機構が設けられている。根元部５に連結された回動軸受１０は軸体２１に外嵌して枢支される簡単な機構により前記自転機構を構成している。従って、払拭体１の長手方向の中心軸回りに全周３６０°にわたり植設した多数のパイル群３をハンドル２の回動角度を前記中心軸回りに可変して操作して、図１０のＣで示すように、任意の向きで清掃面に押し当てることができ、ハンドル操作だけで疲れることなく簡易に清掃作業を行うことができる。
【００３７】
差込片１５、１６の回動端１５ｂ、１６ｂを軸体２１に軸支し、且つ、差込片１５、１６を軸体２１に係着、解除可能にした簡単な機構により、前記回動機構を構成している。各突起１７ａと二股状突起１５ｄ、１６ｄとの係着により、図１０の符号Ａに示すように、差込片１５、１６を一直線状にした挿着状態を保持することが可能になる。また、図１０の符号Ｂに示すように、係着状態から各差込片を約９０°ハンドル２の軸方向側に突起１５ｃ、１６ｃを回動させて、簡易に係合を解除して、各差込片がハンドル２より下方に並置される解除状態に移行させることができる。従って、払拭体１の挿着時には、各差込片がハンドル２より下方に並置される解除状態にして、各差込片１５、１６の先端を袋部８に挿入し、ハンドル操作で袋内に押し込むことによって、開脚状に各差込片が符号Ｂから符号Ａの状態に円滑に移行し、払拭体１や挿着片４を一切触れることなく、ワンタッチで払拭体１の挿着作業を行うことができる。払拭体１の脱離時には、差込片１５、１６の面方向を切り欠き溝１０ａに合致させ、各差込片の先端側を折り曲げれば、払拭体１の重みによりハンドル２側に回動して、各差込片が並置される解除状態に移行させ、簡単に脱離作業を行うことができる。
【００３８】
本実施形態の清掃具は長尺状の清掃具の場合であるが、本発明は、短尺状の清掃具やハンディタイプの清掃具に適用でき、更に、ハンドル部分を伸縮自在にして、作業内容に応じて柄の長さを調整可能にした伸縮タイプの清掃具にも適用することができる。払拭材としては、パイルの他に、化学繊維材等を使用することができる。
【００３９】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００４０】
この発明に係る清掃具は、家庭や事務所や工場の床材、及び店舗の床などを清掃するときに用いられ、払拭体を定期的に取り替えてメーカーなどからユーザーにレンタルするようにしてもよいものである。
【符号の説明】
【００４１】
１      払拭体
２      長柄ハンドル
３      パイル群
４      挿着片
５      根元部
６      開口部
７      パイル
８      袋部
９      ジョイント部材
１０    回動軸受
１０ａ  切り欠き溝
１０ｂ  分離スリット
１１    基布
１２    基布
１３    連結部材
１４    軸
１５    差込片
１５ａ  緩衝リング部材
１５ｂ  回動端
１５ｃ  孔
１５ｄ  突起
１６    差込片
１６ａ  緩衝リング部材
１６ｂ  回動端
１６ｃ  孔
１６ｄ  突起
１７    係止部材
１７ａ  突起
１８    周縁部
１９    周縁部
２０    中央部
２１    軸体
２２    縁縫い
２５    端部
２６    端部
２７    端部
２８    端部
２９    縫糸
３０    横糸
３１    横糸
３２    グリップ
４０    払拭体
４１    長柄保持具
４２    基布
４３    袋状差込部
４４    パイル
４５    装着部
４６    ジョイント部
４７    柄
４８    グリップ
【図１】
0005496701.tif 000002
【図２】
0005496701.tif 000003
【図３】
0005496701.tif 000004
【図４】
0005496701.tif 000005
【図５】
0005496701.tif 000006
【図６】
0005496701.tif 000007
【図７】
0005496701.tif 000008
【図８】
0005496701.tif 000009
【図９】
0005496701.tif 000010
【図１０】
0005496701.tif 000011
【図１１】
0005496701.tif 000012
【図１２】
0005496701.tif 000013